(57)【要約】【課題】前回分の通信コードと今回分の通信コードの組み合わせにより通信項目数を増やすことにより弁の開閉をともなう通信を減らし電池の消耗を軽減すること。【解決手段】ガス遮断装置５において、前回通信時に通信コードを通信コード記録部１１に記録し、今回通信するときに通信コード記録部１１に記録している通信コードを通信処理部１２に前回通信コード信号Ｎ８として出力する。これによって、前回通信コードと今回通信コードの組み合わせにより通信処理を行い、弁の開閉をともなわない通信の通信項目数を増やし、弁の開閉をともなう通信を減らし弁の開閉による電池の消耗を軽減することができる。【選択図】  図１
2004177034.tif 000002
【特許請求の範囲】
【請求項１】
信号を受信する設定器受信手段、該設定器受信手段からの信号を設定器制御部を介し信号を出力する設定器送信手段を有するガス遮断装置用設定器装置と、前記設定器送信手段及び前記設定器受信手段と交信する受信手段及び送信手段と、前記受信手段からの信号を受信する受信解析部と、前記受信解析部からの信号を判定する通信コード判定部と、前記通信コード判定部からの信号を記録する通信コード記録部と、前記通信コード判定部からの信号と前記通信コード記録部からの信号を受信し、前記送信手段に信号を出力する通信処理部とを備え、前記通信コード判定部により任意の通信コードを記録し、前記通信コードと前記記録した通信コードの組み合わせによって通信処理するガス遮断装置。
【請求項２】
受信解析部から信号を受信し、通信コード判定部と通信コード記録部に信号を出力する通信コード削除判定部を有し、該通信コード削除判定部は、任意の通信コードの時に前記通信コード記録部で記録した通信コードを削除処理する請求項１記載のガス遮断装置。
【請求項３】
通信コード削除判定部からの信号を受信し、通信コード判定部と通信処理部に信号を出力する通信コード記録出力判定部を有し、該通信コード記録出力判定部は、任意の通信コードの時にのみ通信コード記録部へ信号を出力し、記録した通信コードとの組み合わせによって通信処理する請求項２記載のガス遮断装置。
【請求項４】
通信コード記録部との間で信号を受発信する通信カウント部を有し、該通信カウント部は、前記通信コード記録部から通信処理部に出力する回数をカウントし、任意の回数をカウントすると前記通信コード記録部に記録している通信コードを削除する請求項１、２または３記載のガス遮断装置。
【請求項５】
通信コード記録部との間で信号を受発信するタイマ部を有し、該タイマ部は、前記通信コード記録部から通信処理部に出力すると同時にタイマをスタートし、任意の時間を経過すると前記通信コード記録部に記録している通信コードを削除する請求項１〜４のいずれか１項に記載のガス遮断装置。
【発明の詳細な説明】
【０００１】
【発明の属する技術分野】
本発明は、通信手段を備えたガス遮断装置に関するものである。
【０００２】
【従来の技術】
従来、このガス遮断装置とガス遮断装置用設定器装置の通信手段としては、コイルとＬＥＤにより通信するものが公開されている（例えば、特許文献１参照）。この特許献文１を図６に示す。ガス遮断装置用設定器装置１は、設定器受信手段２（例えば、フォトカプラやリードスイッチ）と設定器送信手段４（例えばＬＥＤまたはコイル）により設定器制御部３で制御することにより通信を行い、ガス遮断装置５は、受信手段６（例えば、フォトカプラやリードスイッチ）、受信解析部７、弁８、通信処理部１２、送信手段９（例えば、ＬＥＤやコイル）より通信を行う。
【０００３】
また、受信手段６が受信入力信号Ｎ１を受け取ると受信解析部７に受信信号Ｎ２を出力し、受信信号Ｎ２が一定時間以上であれば受信解析部７より弁閉信号Ｎ３を出力させて弁８を閉め、弁８を開けることで弁開信号Ｎ４を受信解析部７に出力し、受信解析部７は、受信可能信号Ｎ１１を送信手段９に出力し、送信手段９より出力した送信出力信号Ｎ１０により通信を開始し、受信解析部７によって判定した通信コードを通信コード信号Ｎ５として通信処理部１２に出力し通信を行う。
【０００４】
また、弁閉信号Ｎ３と判定しない一定時間以内の信号幅の受信信号Ｎ２のパターンであれば、受信解析部７が通信要求パターンであるか判定し、通信コード信号Ｎ５として通信処理部１２に出力し、内部確認の通信を行う。
【０００５】
以上のように、従来からの通信は１回の通信で通信コードにより通信処理を行い、内部の設定または確認を行っていた（例えば、特許文献２参照）。
【０００６】
【特許文献１】
特開昭６２−２３６５６５号公報
【特許文献２】
特開平０６−３２３５３４号公報
【０００７】
【発明が解決しようとする課題】
しかしながら、従来のガス遮断装置では、弁の開閉をともなう通信は、通信するたびに弁を開閉するため、ガス遮断装置の機能の増加により設定や確認の項目が多くなり電池の消耗が激しかった。
【０００８】
また、弁の開閉をともなわない通信は、弁閉信号と判定しない受信信号のパターンが、受信手段での誤動作による通信エラーや誤って弁を閉めるのを防ぐ点より限られるため、項目も限られるという課題を有していた。
【０００９】
【課題を解決するための手段】
本発明は上記課題を解決するために、内部に記録させた前回分の通信コードと今回の通信コードの組み合わせにより通信処理を行えるようにし、弁の開閉をともなわない通信で設定または確認できる項目を増やすこととしたものである。
【００１０】
上記発明によれば、弁の開閉をともなわない通信の項目が増え、弁の開閉をともなう通信の回数を減らすことができるので、通信時の弁の開閉による電池の消耗を軽減し、省エネルギー化することが可能となる。
【００１１】
【発明の実施の形態】
請求項１に記載の発明は、信号を受け取る設定器受信手段と信号を出力する設定器送信手段と設定器制御部を有するガス遮断装置用設定器装置と、信号を受け取る受信手段、信号を送信する送信手段、前記受信手段からの信号を受け取る受信解析部、前記受信解析部からの信号を受け取ると信号を判定する通信コード判定部、前記通信コード判定部から信号を受け取る通信コード記録部、前記通信コード解析部からの信号と前記通信コード記録部からの信号を受け取り、前記送信手段に信号を出力する通信処理部を有し、前記通信コード判定部により任意の通信コードを記録し、前記通信コードと前記記録した通信コードの組み合わせによって通信処理を行う特徴を有するガス遮断装置であり、通信コードの組み合わせにより弁の開閉をともなわない通信を増やすことで、弁の開閉をともなう通信を減らし電池の消耗を軽減することができる。
【００１２】
請求項２に記載の発明は、請求項１において、受信解析部から信号を受け取り、通信コード判定部と通信コード記録部に信号を出力する通信コード削除判定部を有し、任意の通信コードの時に前記通信コード記録部で記録した通信コードを削除する処理を行う特徴を有するガス遮断装置であり、記録した通信コードを削除することによって組み合わせの通信処理を前回通信コードに左右されずに行うことができ、前回通信コードの確認および設定が要らなくなり通信による電池の消耗を軽減できる。
【００１３】
請求項３に記載の発明は、請求項２において、通信コード削除判定部から信号を受け取り、通信コード判定部と通信処理部に信号を出力する通信コード記録出力判定部を有し、任意の通信コードの時にのみ前記通信コード記録部へ信号を出力し記録した通信コードとの組み合わせによって通信処理を行う特徴を有するガス遮断装置であり、通信の組み合わせによる通信を、任意の通信コードでできるので設定や確認の順序の自由度が上がり、効率よく通信を行い通信による電池の消耗を軽減できる。
【００１４】
請求項４に記載の発明は、請求項１、２、３において、通信コード記録部から信号を受け取り、前記通信コード記録部に信号を出力する通信カウント部を有し、前記通信コード記録部から通信処理部に出力する回数をカウントし、任意の回数をカウントすると前記通信コード記録部に記録している通信コードを削除する特徴を有するガス遮断装置であり、通信の回数で記録した通信コードを削除することで、効率よく通信処理ができ電池の消耗を軽減することができる。
【００１５】
請求項５に記載の発明は、請求項１〜４において、通信コード記録部から信号を受け取り、前記通信コード記録部に信号を出力するタイマ部を有し、前記通信コード記録部から通信処理部に出力すると同時にタイマをスタートし、任意の時間を経過すると前記通信コード記録部に記録している通信コードを削除する特徴を有するガス遮断装置であり、弁の開閉をともなう通信と弁の開閉をともなわない通信の組み合わせによる通信を、時間によって再度通信コードを設定しなくても切り替えることができ、効率よく通信処理ができ電池の消耗を軽減できる。
【００１６】
【実施例】
以下、本発明の実施例について図面を用いて説明する。
【００１７】
（実施例１）
図１は、本発明の実施例１におけるガス遮断装置のブロック図を示すものである。図１において、ガス遮断装置用設定器装置１は、設定器受信手段２（例えば、フォトカプラやリードスイッチ）と設定器送信手段４（例えばＬＥＤまたはコイル）により設定器制御部３で制御することにより通信を行う。ガス遮断装置５は、受信手段６（例えば、フォトカプラやリードスイッチ）、受信解析部７、弁８、通信コード判定部１０、通信処理部１２、通信コード記録部１１、送信手段９（例えば、ＬＥＤやコイル）により通信を行う。
【００１８】
ガス遮断装置用設定器装置１の設定器送信手段４から、ガス遮断装置５の受信手段６に一定時間以上の幅の受信入力信号Ｎ１（例えば、磁気信号や光信号）を出力する。受信手段６は受信入力信号Ｎ１を受け取ると受信信号Ｎ２として受信解析部７に出力する。受信解析部７は、受信信号Ｎ２を受け取ると受信信号Ｎ２の幅が一定時間以上かを判定し弁８に弁閉信号Ｎ３を出力する。弁８は弁閉信号Ｎ３を受け取ると弁８を閉じる。弁８を開くと弁８は受信解析部７に弁開信号Ｎ４を出力する。受信解析部７は弁開信号Ｎ４を受け取ると送信手段９に受信可能信号Ｎ１１を出力する。送信手段９は受信可能信号Ｎ１１を受け取ると送信出力信号Ｎ１０（例えば、ＬＥＤによる発光や磁気信号）を出力する。
【００１９】
ガス遮断装置用設定器装置１は設定器受信手段２により送信出力信号Ｎ１０を受け取ると、設定器受信信号Ｕ１を設定器制御部３に出力し、設定器制御部３より設定器送信信号Ｕ２を設定器送信手段４に出力し、設定器送信手段４により受信入力信号Ｎ１を出力する。
【００２０】
受信手段６が受信入力信号Ｎ１を受け取り、受信信号Ｎ２として受信解析部７に出力する。受信解析部７は送信可能信号Ｎ１１を出力してから一定時間以内に受信信号Ｎ２を受け取ると、受信信号Ｎ２の幅が一定時間以上であっても弁８に弁閉信号Ｎ３を出力せず、受信信号Ｎ２のパターンを判定する。受信解析部７は、受信信号Ｎ２が通信コードと判定すると、通信コード判定部１０に通信コード信号Ｎ５を出力する。通信コード判定部１０は通信コード信号Ｎ５を受け取ると通信処理部１２に通信コード信号Ｎ７を出力し、通信コードを判定し通信コード記録部１１に前回通信コード信号Ｎ６を出力する。
【００２１】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。通信処理部１２は、前回通信コード信号Ｎ８と通信コード信号Ｎ７を受け取るとそれらの通信コードが要求する設定または確認を行い、メモリ内容の確認や成功か失敗かを送信信号Ｎ９として送信手段９に出力する。送信手段９は、送信信号Ｎ９を受け取ると送信出力信号Ｎ１０として出力する。
【００２２】
また、ガス遮断装置用設定器１からガス遮断装置５の受信手段６が一定時間以内の幅の受信入力信号Ｎ１を受け取ると、受信信号Ｎ２として受信解析部７に出力する。受信解析部７は受信信号Ｎ２を受け取るとパターンを判定し、通信コードと判定すると、通信コード判定部１０に通信コード信号Ｎ５を出力する。通信コード判定部１０は通信コード信号Ｎ５を受け取ると通信処理部１２に通信コード信号Ｎ７を出力し、通信コードを判定し通信コード記録部１１に前回通信コード信号Ｎ６を出力する。
【００２３】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。通信処理部１２は前回通信コード信号Ｎ８と通信コード信号Ｎ７を受け取ると、組み合わせにより要求された設定もしくは確認を行い、メモリ内容の確認や成功か失敗かを送信信号Ｎ９として送信手段９に出力する。送信手段９は、通信処理部１２から送信信号Ｎ９を受け取ると送信出力信号Ｎ１０として出力する。なお、通信コード記録部１１には任意の初期通信コードが記録されていてもかまわない。
【００２４】
以上により、前回に記録されている通信コードと今回の通信コードの組み合わせによって通信処理を行うことで通信の項目を増やすことができる。また、それにより、弁の開閉をともなわない通信の通信コードの数が限られていても、弁の開閉をともなう通信コードとの組み合わせによって通信処理を行うことで弁の開閉をともなう通信を減らすことができ、電池の消耗を軽減できる。
【００２５】
（実施例２）
図２は、本発明の実施例２におけるガス遮断装置のブロック図を示すものである。図２において、実施例１と異なるところは、通信コード削除判定部１３を有するところである。
【００２６】
ガス遮断装置用設定器装置１の設定器送信手段４から、ガス遮断装置５の受信手段６に一定時間以上の幅の受信入力信号Ｎ１（例えば、磁気信号や光信号）を出力する。受信手段６は受信入力信号Ｎ１を受け取ると受信信号Ｎ２として受信解析部７に出力する。受信解析部７は、受信信号Ｎ２を受け取ると受信信号Ｎ２の幅が一定時間以上かを判定し弁８に弁閉信号Ｎ３を出力する。弁８は弁閉信号Ｎ３を受け取ると弁８を閉じる。弁８を開くと弁８は受信解析部７に弁開信号Ｎ４を出力する。受信解析部７は弁開信号Ｎ４を受け取ると送信手段９に受信可能信号Ｎ１１を出力する。送信手段９は受信可能信号Ｎ１１を受け取ると送信出力信号Ｎ１０（例えば、ＬＥＤによる発光や磁気信号）を出力する。
【００２７】
ガス遮断装置用設定器装置１は設定器受信手段２により送信出力信号Ｎ１０を受け取ると、設定器受信信号Ｕ１を設定器制御部３に出力し、設定器制御部３より設定器送信信号Ｕ２を設定器送信手段４に出力し、設定器送信手段４により受信入力信号Ｎ１を出力する。受信手段６が受信入力信号Ｎ１を受け取り、受信信号Ｎ２として受信解析部７に出力する。受信解析部７は送信可能信号Ｎ１１を出力してから一定時間以内に受信信号Ｎ２を受け取ると、受信信号Ｎ２の幅が一定時間以上であっても弁８に弁閉信号Ｎ３を出力せず、受信信号Ｎ２のパターンを判定する。受信解析部７は、受信信号Ｎ２が通信コードと判定すると、通信コード削除判定部１３に通信コード信号Ｎ５を出力する。通信コード削除判定部１３が通信コード信号Ｎ５を受け取ると、通信コード信号Ｎ１２を通信コード判定部１０に出力し、任意に定めた削除を要求する通信コードであるか判定し、削除する要求の通信コードであれば通信コード記録削除信号Ｎ１３を通信コード記録部１１に出力する。
【００２８】
通信コード判定部１０は通信コード信号Ｎ１２を受け取ると通信処理部１２に通信コード信号Ｎ７を出力し、通信コードを判定し通信コード記録部１１に前回通信コード信号Ｎ６を出力する。
【００２９】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。
【００３０】
また、通信コード記録部１１が通信コード記録削除信号Ｎ１３を受け取ると記録されている通信コードを削除し任意の通信コードにしてから、前回通信コード信号Ｎ６を受け取る。通信処理部１２は、前回通信コード信号Ｎ８と通信コード信号Ｎ７を受け取るとそれらの通信コードが要求する設定または確認を行い、メモリ内容の確認や成功か失敗かを送信信号Ｎ９として送信手段９に出力する。送信手段９は、送信信号Ｎ９を受け取ると送信出力信号Ｎ１０として出力する。
【００３１】
また、ガス遮断装置用設定器１からガス遮断装置５の受信手段６が一定時間以内の幅の受信入力信号Ｎ１を受け取ると、受信信号Ｎ２として受信解析部７に出力する。受信解析部７は、受信信号Ｎ２を受け取るとパターンを判定し、通信コードと判定すると、通信コード削除判定部１３に通信コード信号Ｎ５を出力する。
【００３２】
通信コード削除判定部１３が通信コード信号Ｎ５を受け取ると、通信コード信号Ｎ１２を通信コード判定部１０に出力し、任意に定めた削除を要求する通信コードであるか判定し、削除する要求の通信コードであれば通信コード記録削除信号Ｎ１３を通信コード記録部１１に出力する。通信コード判定部１０は通信コード信号Ｎ１２を受け取ると通信処理部１２に通信コード信号Ｎ７を出力し、通信コードを判定し通信コード記録部１１に前回通信コード信号Ｎ６を出力する。
【００３３】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。
【００３４】
また、通信コード記録部１１が通信コード記録削除信号Ｎ１３を受け取ると記録されている通信コードを削除し任意の通信コードにしてから、前回通信コード信号Ｎ６を受け取る。通信処理部１２は前回通信コード信号Ｎ８と通信コード信号Ｎ７を受け取ると、組み合わせにより要求された設定もしくは確認を行い、メモリ内容の確認や成功か失敗かを送信信号Ｎ９として送信手段９に出力する。送信手段９は、通信処理部１２から送信信号Ｎ９を受け取ると送信出力信号Ｎ１０として出力する。なお、通信コード記録部１１には任意の初期通信コードが記録されていてもかまわない。
【００３５】
以上により、前回通信コードを削除することにより組み合わせの通信処理を前回通信コードに左右されずに行うことができるので、前回通信コードの確認および設定がいらなくなり、弁の開閉による電池の消耗を軽減し作業者の作業効率が向上する。
【００３６】
（実施例３）
図３は、本発明の実施例３におけるガス遮断装置のブロック図を示すものである。図３において、実施例２と異なるところは、通信コード記録出力判定部１４を有するところである。
【００３７】
ガス遮断装置用設定器装置１の設定器送信手段４から、ガス遮断装置５の受信手段６に一定時間以上の幅の受信入力信号Ｎ１（例えば、磁気信号や光信号）を出力する。受信手段６は受信入力信号Ｎ１を受け取ると受信信号Ｎ２として受信解析部７に出力する。受信解析部７は、受信信号Ｎ２を受け取ると受信信号Ｎ２の幅が一定時間以上かを判定し弁８に弁閉信号Ｎ３を出力する。弁８は弁閉信号Ｎ３を受け取ると弁８を閉じる。弁８を開くと弁８は受信解析部７に弁開信号Ｎ４を出力する。受信解析部７は弁開信号Ｎ４を受け取ると送信手段９に受信可能信号Ｎ１１を出力する。送信手段９は受信可能信号Ｎ１１を受け取ると送信出力信号Ｎ１０（例えば、ＬＥＤによる発光や磁気信号）を出力する。
【００３８】
ガス遮断装置用設定器装置１は設定器受信手段２により送信出力信号Ｎ１０を受け取ると、設定器受信信号Ｕ１を設定器制御部３に出力し、設定器制御部３より設定器送信信号Ｕ２を設定器送信手段４に出力し、設定器送信手段４により受信入力信号Ｎ１を出力する。受信手段６が受信入力信号Ｎ１を受け取り、受信信号Ｎ２として受信解析部７に出力する。受信解析部７は送信可能信号Ｎ１１を出力してから一定時間以内に受信信号Ｎ２を受け取ると、受信信号Ｎ２の幅が一定時間以上であっても弁８に弁閉信号Ｎ３を出力せず、受信信号Ｎ２のパターンを判定する。受信解析部７は、受信信号Ｎ２が通信コードと判定すると、通信コード削除判定部１３に通信コード信号Ｎ５を出力する。
【００３９】
通信コード削除判定部１３が通信コード信号Ｎ５を受け取ると、通信コード信号Ｎ１２を通信コード記録出力判定部１４に出力し、任意に定めた削除を要求する通信コードであるか判定し、削除する要求の通信コードであれば通信コード記録削除信号Ｎ１３を通信コード記録部１１に出力する。通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００４０】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。
【００４１】
また、通信コード記録部１１が通信コード記録削除信号Ｎ１３を受け取ると記録されている通信コードを削除し任意の通信コードにしてから、前回通信コード信号Ｎ６を受け取る。通信処理部１２は、前回通信コード信号Ｎ８と通信コード信号Ｎ７を受け取るとそれらの通信コードが要求する設定または確認を行い、メモリ内容の確認や成功か失敗かを送信信号Ｎ９として送信手段９に出力する。
【００４２】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、送信信号Ｎ９を受け取ると送信出力信号Ｎ１０として出力する。
【００４３】
また、ガス遮断装置用設定器１からガス遮断装置５の受信手段６が一定時間以内の幅の受信入力信号Ｎ１を受け取ると、受信信号Ｎ２として受信解析部７に出力する。受信解析部７は、受信信号Ｎ２を受け取るとパターンを判定し、通信コードと判定すると、通信コード削除判定部１３に通信コード信号Ｎ５を出力する。
【００４４】
通信コード削除判定部１３が通信コード信号Ｎ５を受け取ると、通信コード信号Ｎ１２を通信コード判定部１０に出力し、任意に定めた削除を要求する通信コードであるか判定し、削除する要求の通信コードであれば通信コード記録削除信号Ｎ１３を通信コード記録部１１に出力する。通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００４５】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。
【００４６】
また、通信コード記録部１１が通信コード記録削除信号Ｎ１３を受け取ると記録されている通信コードを削除し任意の通信コードにしてから、前回通信コード信号Ｎ６を受け取る。通信処理部１２は前回通信コード信号Ｎ８と通信コード信号Ｎ７を受け取ると、組み合わせにより要求された設定もしくは確認を行い、メモリ内容の確認や成功か失敗かを送信信号Ｎ９として送信手段９に出力する。
【００４７】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、通信処理部１２から送信信号Ｎ９を受け取ると送信出力信号Ｎ１０として出力する。なお、通信コード記録部１１には任意の初期通信コードが記録されていてもかまわない。
【００４８】
以上により、組み合わせによる通信処理を行うかを判定させることにより、前回通信コードを記録したまま通信を行うことができるので、弁の開閉による電池の消耗を軽減し作業者の作業効率が向上する。
【００４９】
（実施例４）
図４は、本発明の実施例４におけるガス遮断装置のブロック図を示すものである。図４において、実施例３と異なるところは、通信カウント部１５を有するところである。
【００５０】
ガス遮断装置用設定器装置１の設定器送信手段４から、ガス遮断装置５の受信手段６に一定時間以上の幅の受信入力信号Ｎ１（例えば、磁気信号や光信号）を出力する。受信手段６は受信入力信号Ｎ１を受け取ると受信信号Ｎ２として受信解析部７に出力する。受信解析部７は、受信信号Ｎ２を受け取ると受信信号Ｎ２の幅が一定時間以上かを判定し弁８に弁閉信号Ｎ３を出力する。弁８は弁閉信号Ｎ３を受け取ると弁８を閉じる。弁８を開くと弁８は受信解析部７に弁開信号Ｎ４を出力する。受信解析部７は弁開信号Ｎ４を受け取ると送信手段９に受信可能信号Ｎ１１を出力する。送信手段９は受信可能信号Ｎ１１を受け取ると送信出力信号Ｎ１０（例えば、ＬＥＤによる発光や磁気信号）を出力する。
【００５１】
ガス遮断装置用設定器装置１は設定器受信手段２により送信出力信号Ｎ１０を受け取ると、設定器受信信号Ｕ１を設定器制御部３に出力し、設定器制御部３より設定器送信信号Ｕ２を設定器送信手段４に出力し、設定器送信手段４により受信入力信号Ｎ１を出力する。受信手段６が受信入力信号Ｎ１を受け取り、受信信号Ｎ２として受信解析部７に出力する。受信解析部７は送信可能信号Ｎ１１を出力してから一定時間以内に受信信号Ｎ２を受け取ると、受信信号Ｎ２の幅が一定時間以上であっても弁８に弁閉信号Ｎ３を出力せず、受信信号Ｎ２のパターンを判定する。受信解析部７は、受信信号Ｎ２が通信コードと判定すると、通信コード削除判定部１３に通信コード信号Ｎ５を出力する。通信コード削除判定部１３が通信コード信号Ｎ５を受け取ると、通信コード信号Ｎ１２を通信コード記録出力判定部１４に出力し、任意に定めた削除を要求する通信コードであるか判定し、削除する要求の通信コードであれば通信コード記録削除信号Ｎ１３を通信コード記録部１１に出力する。
【００５２】
通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００５３】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、通信カウンタ部１５に通信カウント信号Ｎ１６を出力し、前回通信コード信号Ｎ６に通信コードが付加されていれば、前回通信コードとして記録する。
【００５４】
また、通信コード記録部１１が通信コード記録削除信号Ｎ１３を受け取ると記録されている通信コードを削除し任意の通信コードにしてから、前回通信コード信号Ｎ６を受け取る。通信コード記録部１１が通信コード回数信号Ｎ１７を受け取ると前回通信コード信号Ｎ８を出力してから記録した前回通信コードを削除し任意に定めた通信コードを設定する。通信カウント部１５は通信カウント信号Ｎ１６を受け取ると任意の回数カウントし、任意の回数までカウントすると通信コード回数信号Ｎ１７を出力する。通信処理部１２は、前回通信コード信号Ｎ８と通信コード信号Ｎ７を受け取るとそれらの通信コードが要求する設定または確認を行い、メモリ内容の確認や成功か失敗かを送信信号Ｎ９として送信手段９に出力する。
【００５５】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、送信信号Ｎ９を受け取ると送信出力信号Ｎ１０として出力する。
【００５６】
また、ガス遮断装置用設定器１からガス遮断装置５の受信手段６が一定時間以内の幅の受信入力信号Ｎ１を受け取ると、受信信号Ｎ２として受信解析部７に出力する。受信解析部７は、受信信号Ｎ２を受け取るとパターンを判定し、通信コードと判定すると、通信コード削除判定部１３に通信コード信号Ｎ５を出力する。
【００５７】
通信コード削除判定部１３が通信コード信号Ｎ５を受け取ると、通信コード信号Ｎ１２を通信コード判定部１０に出力し、任意に定めた削除を要求する通信コードであるか判定し、削除する要求の通信コードであれば通信コード記録削除信号Ｎ１３を通信コード記録部１１に出力する。通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００５８】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、前回通信コード信号Ｎ６に通信コードが付加されていれば、前回通信コードとして記録する。
【００５９】
また、通信コード記録部１１１が通信コード記録削除信号Ｎ１３を受け取ると記録されている通信コードを削除し任意の通信コードにしてから、前回通信コード信号Ｎ６を受け取る。通信コード記録部１１が通信コード回数信号Ｎ１７を受け取ると前回通信コード信号Ｎ８を出力してから記録した前回通信コードを削除し任意に定めた通信コードを設定する。通信カウント部１５は通信カウント信号Ｎ１６を受け取ると任意の回数カウントし、任意の回数までカウントすると通信コード回数信号Ｎ１７を出力する。通信処理部１２は前回通信コード信号Ｎ８と通信コード信号Ｎ７を受け取ると、組み合わせにより要求された設定もしくは確認を行い、メモリ内容の確認や成功か失敗かを送信信号Ｎ９として送信手段９に出力する。
【００６０】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、通信処理部１２から送信信号Ｎ９を受け取ると送信出力信号Ｎ１０として出力する。なお、通信コード記録部１１には任意の初期通信コードが記録されていてもかまわない。
【００６１】
以上により、通信の組み合わせの通信の回数を限定し任意に定めた通信コードに設定することで、再度通信コードを設定する必要がなくなるので弁の開閉による電池の消耗を軽減し、操作性を向上することができる。
【００６２】
（実施例５）
図５は、本発明の実施例５におけるガス遮断装置のブロック図を示すものである。図５において、実施例２と異なるところは、タイマ部１６を有することである。
【００６３】
ガス遮断装置用設定器装置１の設定器送信手段４から、ガス遮断装置５の受信手段６に一定時間以上の幅の受信入力信号Ｎ１（例えば、磁気信号や光信号）を出力する。受信手段６は受信入力信号Ｎ１を受け取ると受信信号Ｎ２として受信解析部７に出力する。
【００６４】
受信解析部７は、受信信号Ｎ２を受け取ると受信信号Ｎ２の幅が一定時間以上かを判定し弁８に弁閉信号Ｎ３を出力する。弁８は弁閉信号Ｎ３を受け取ると弁８を閉じる。弁８を開くと弁８は受信解析部７に弁開信号Ｎ４を出力する。受信解析部７は弁開信号Ｎ４を受け取ると送信手段９に受信可能信号Ｎ１１を出力する。送信手段９は受信可能信号Ｎ１１を受け取ると送信出力信号Ｎ１０（例えば、ＬＥＤによる発光や磁気信号）を出力する。
【００６５】
ガス遮断装置用設定器装置１は設定器受信手段２により送信出力信号Ｎ１０を受け取ると、設定器受信信号Ｕ１を設定器制御部３に出力し、設定器制御部３より設定器送信信号Ｕ２を設定器送信手段４に出力し、設定器送信手段４により受信入力信号Ｎ１を出力する。
【００６６】
受信手段６が受信入力信号Ｎ１を受け取り、受信信号Ｎ２として受信解析部７に出力する。受信解析部７は送信可能信号Ｎ１１を出力してから一定時間以内に受信信号Ｎ２を受け取ると、受信信号Ｎ２の幅が一定時間以上であっても弁８に弁閉信号Ｎ３を出力せず、受信信号Ｎ２のパターンを判定する。受信解析部７は、受信信号Ｎ２が通信コードと判定すると、通信コード削除判定部１３に通信コード信号Ｎ５を出力する。
【００６７】
通信コード削除判定部１３が通信コード信号Ｎ５を受け取ると、通信コード信号Ｎ１２を通信コード記録出力判定部１４に出力し、任意に定めた削除を要求する通信コードであるか判定し、削除する要求の通信コードであれば通信コード記録削除信号Ｎ１３を通信コード記録部１１に出力する。
【００６８】
通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００６９】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、通信カウンタ部１５に通信カウント信号Ｎ１６を出力し、タイマ部１６にタイマスタート信号Ｎ１８を出力し、前回通信コード信号Ｎ６に通信コードが付加されていれば、前回通信コードとして記録する。
【００７０】
また、通信コード記録部１１が通信コード記録削除信号Ｎ１３を受け取ると記録されている通信コードを削除し任意の通信コードにしてから、前回通信コード信号Ｎ６を受け取る。通信コード記録部１１が通信コード回数信号Ｎ１７を受け取ると前回通信コード信号Ｎ８を出力してから記録した前回通信コードを削除し任意に定めた通信コードを設定する。通信コード記録部１１がタイムアップ信号Ｎ１９を受け取ると記録した前回通信コードを削除し任意に定めた通信コードを設定する。通信カウント部１５は通信カウント信号Ｎ１６を受け取ると任意の回数カウントし、任意の回数までカウントすると通信コード回数信号Ｎ１７を出力する。タイマ部１６はタイマスタート信号Ｎ１８を受け取るとタイマをスタートし、任意の時間が経過するとタイマアップ信号Ｎ１９を出力する。通信処理部１２は、前回通信コード信号Ｎ８と通信コード信号Ｎ７を受け取るとそれらの通信コードが要求する設定または確認を行い、メモリ内容の確認や成功か失敗かを送信信号Ｎ９として送信手段９に出力する。
【００７１】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、送信信号Ｎ９を受け取ると送信出力信号Ｎ１０として出力する。
【００７２】
また、ガス遮断装置用設定器１からガス遮断装置５の受信手段６が一定時間以内の幅の受信入力信号Ｎ１を受け取ると、受信信号Ｎ２として受信解析部７に出力する。受信解析部７は、受信信号Ｎ２を受け取るとパターンを判定し、通信コードと判定すると、通信コード削除判定部１３に通信コード信号Ｎ５を出力する。
【００７３】
通信コード削除判定部１３が通信コード信号Ｎ５を受け取ると、通信コード信号Ｎ１２を通信コード判定部１０に出力し、任意に定めた削除を要求する通信コードであるか判定し、削除する要求の通信コードであれば通信コード記録削除信号Ｎ１３を通信コード記録部１１に出力する。通信コード記録出力判定部１４は通信コード信号Ｎ１２を受け取ると組み合わせによる通信処理を要求する任意の通信コードかを判定し、組み合わせによる通信処理を要求する任意の通信コードであれば通信コード信号Ｎ１４を通信コード判定部１０に出力し、組み合わせによる通信処理を要求しない通信コードであれば通信コード信号Ｎ１５を通信処理部１２へ出力する。通信コード判定部１０は通信コード信号Ｎ１４を受け取ると通信処理部１２に通信コード信号Ｎ７を出力し、通信コードを判定し通信コード記録部１１に前回通信コード信号Ｎ６を出力する。
【００７４】
また、任意の記録する通信コードと判定すると前回通信コード信号Ｎ６に通信コードを付加して出力する。通信コード記録部１１は前回通信コード信号Ｎ６を受け取ると、前回記録した通信コードを前回通信コード信号Ｎ８として通信処理部１２に出力し、通信カウンタ部１５に通信カウント信号Ｎ１６を出力し、タイマ部１６にタイマスタート信号Ｎ１８を出力し、前回通信コード信号Ｎ６に通信コードが付加されていれば、前回通信コードとして記録する。
【００７５】
また、通信コード記録部１１が通信コード記録削除信号Ｎ１３を受け取ると記録されている通信コードを削除し任意の通信コードにしてから、前回通信コード信号Ｎ６を受け取る。通信コード記録部１１が通信コード回数信号Ｎ１７を受け取ると前回通信コード信号Ｎ８を出力してから記録した前回通信コードを削除し任意に定めた通信コードを設定する。通信コード記録部１１がタイムアップ信号Ｎ１９を受け取ると記録した前回通信コードを削除し任意に定めた通信コードを設定する。
【００７６】
通信カウント部１５は通信カウント信号Ｎ１６を受け取ると任意の回数カウントし、任意の回数までカウントすると通信コード回数信号Ｎ１７を出力する。タイマ部１６はタイマスタート信号Ｎ１８を受け取るとタイマをスタートし、任意の時間が経過するとタイマアップ信号Ｎ１９を出力する。通信処理部１２は前回通信コード信号Ｎ８と通信コード信号Ｎ７を受け取ると、組み合わせにより要求された設定もしくは確認を行い、メモリ内容の確認や成功か失敗かを送信信号Ｎ９として送信手段９に出力する。
【００７７】
また、通信処理部１２は、通信コード信号Ｎ１５を受け取るとこの通信コードが要求する設定または確認を行い、メモリ内容の確認や成功か失敗かを送信信号Ｎ９として送信手段９に出力する。送信手段９は、通信処理部１２から送信信号Ｎ９を受け取ると送信出力信号Ｎ１０として出力する。なお、通信コード記録部１１には任意の初期通信コードが記録されていてもかまわない。
【００７８】
以上により、前回通信コードを記録時より任意の時間を経過すると任意の定められた通信コードに設定することで、再度通信コードを設定する必要がなくなるので弁の開閉による電池の消耗を軽減することができる。
【００７９】
【発明の効果】
以上のように請求項第１〜５の発明によれば、前回通信コードと今回通信コードの組み合わせにより、弁の開閉をともなわない通信の項目が増やすことができるので、弁の開閉をともなう通信の回数を減らすことができ、通信時の弁の開閉による電池の消耗を軽減し、省エネルギー化することが可能となる。
【図面の簡単な説明】
【図１】本発明の実施例１におけるガス遮断装置の機能ブロック図
【図２】本発明の実施例２におけるガス遮断装置の機能ブロック図
【図３】本発明の実施例３におけるガス遮断装置の機能ブロック図
【図４】本発明の実施例４におけるガス遮断装置の機能ブロック図
【図５】本発明の実施例５におけるガス遮断装置の機能ブロック図
【図６】従来のガス遮断装置の機能ブロック図
【符号の説明】
１  ガス遮断装置用設定器装置
２  設定器受信手段
３  設定器制御部
４  設定器送信手段
５  ガス遮断装置
６  受信手段
７  受信解析部
８  弁
９  送信手段
１０  通信コード判定部
１１  通信コード記録部
１２  通信処理部
１３  通信コード削除判定部
１４  通信コード記録出力判定部
１５  通信カウント部
１６  タイマ部
【図１】
2004177034.tif 000003
【図２】
2004177034.tif 000004
【図３】
2004177034.tif 000005
【図４】
2004177034.tif 000006
【図５】
2004177034.tif 000007
【図６】
2004177034.tif 000008